(57)【要約】【課題】異なるチャンネルの番組を同時に視聴しても、お互いの視覚情報及び聴覚情報に干渉されることなく、それぞれのチャンネルの番組に集中できるテレビジョンシステムの制御方法と該制御方法を用いるテレビジョンシステムの提供を目的とする。【解決手段】テレビジョン装置１と、リモコン側ＡＶ出力モジュール２３を有するリモコン装置２とを備えたテレビジョンシステムに用いられるテレビジョンシステムの制御方法であって、テレビジョン装置１に２つのチャンネル信号を受信させる過程（Ａ）と、リモコン装置２からのチャンネル選択命令に応じて、２つのチャンネル信号から１つを選択してリモコン装置２に送信し、リモコン装置２のリモコン側ＡＶ出力モジュール２３にチャンネル信号に対応する映像や音声を出力する過程（Ｂ）とを順番に実行することを特徴とするテレビジョンシステムの制御方法。【選択図】図２
2013074621.tif 000002
【特許請求の範囲】
【請求項１】
テレビジョン装置と、リモコン側ＡＶ出力モジュールを有すると共に該テレビジョン装置を操作するリモコン装置とを備えたテレビジョンシステムに用いられるテレビジョンシステムの制御方法であって、
前記テレビジョン装置に２つのチャンネル信号を受信させる過程（Ａ）と、
前記リモコン装置からのチャンネル選択命令に応じて、前記２つのチャンネル信号から１つを選択して前記リモコン装置に送信し、前記リモコン装置の前記リモコン側ＡＶ出力モジュールに前記チャンネル信号に対応する映像や音声を出力する過程（Ｂ）と、を順番に実行することを特徴とするテレビジョンシステムの制御方法。
【請求項２】
前記過程（Ａ）において、前記テレビジョン装置は前記リモコン装置からの画面分割命令に応じて、画面を分割して、同時に２つの前記チャンネル信号にそれぞれ対応する映像を分割した２つの画面で表示することを特徴とする請求項１に記載のテレビジョンシステムの制御方法。
【請求項３】
前記過程（Ｂ）において、前記リモコン側ＡＶ出力モジュールが映像を表示する時、前記テレビジョン装置は前記２つのチャンネル信号において前記過程（Ａ）によって選択されていないチャンネル信号に対応する映像や音声のみを出力することを特徴とする請求項１または２に記載のテレビジョンシステムの制御方法。
【請求項４】
前記リモコン装置の前記リモコン側ＡＶ出力モジュールは、ディスプレイ及びスピーカーを有することを特徴とする請求項１〜３いずれか一項に記載のテレビジョンシステムの制御方法。
【請求項５】
前記リモコン装置の前記リモコン側ＡＶ出力モジュールは、ディスプレイ及び音声出力孔を有することを特徴とする請求項１〜３いずれか一項に記載のテレビジョンシステムの制御方法。
【請求項６】
前記テレビジョン装置は、
それぞれに１つのチャンネル信号を受信する、２つの受信機と、
前記チャンネル信号に対応する映像や音声を出力するためのテレビジョン側ＡＶ出力モジュールと、
リモコン受信ユニットと、
チャンネル信号発信ユニットと、
前記２つの受信機と前記チャンネル信号発信ユニットと電気的結合している信号選択ユニットと、
前記リモコン受信ユニットと前記信号選択ユニットと電気的結合しているテレビジョン制御機構と、を備えており、
前記リモコン装置は、
ユーザによる操作を受け付ける操作インターフェイスと、
リモコン発信ユニットと、
前記操作インターフェイスが受け付けたユーザによる操作に基づいて、チャンネル選択命令を生成して、前記リモコン発信ユニットに前記チャンネル選択命令を前記リモコン受信ユニットに送信させるように制御するリモコン制御機構と、
前記チャンネル信号発信ユニットからの選択された前記チャンネル信号を受信して、前記リモコン側ＡＶ出力モジュールに送信して出力させるチャンネル信号受信ユニットと、を更に備えており、
前記テレビジョン装置の前記テレビジョン制御機構は、前記リモコン受信ユニットが前記リモコン発信ユニットから前記チャンネル選択命令を受信すると、前記チャンネル選択命令に応じて前記信号選択ユニットに前記２つのチャンネル信号から１つを選択させ、そして選択されたチャンネル信号を前記チャンネル信号発信ユニットに送信させるように構成されていることを特徴とする請求項１〜５いずれか一項に記載のテレビジョンシステムの制御方法。
【請求項７】
前記テレビジョン装置の前記チャンネル信号発信ユニットと前記リモコン装置の前記チャンネル信号受信ユニットは、ＵＳＢインターフェースを通じて、それぞれ着脱可能に構成されていることを特徴とする請求項６に記載のテレビジョンシステムの制御方法。
【請求項８】
前記チャンネル信号発信ユニットと前記チャンネル信号受信ユニットは、ブルートゥース、超広帯域、或いはワイヤレス・フィディリティーを利用して、選択された前記チャンネル信号の無線送信を実行することを特徴とする請求項７に記載のテレビジョンシステムの制御方法。
【請求項９】
請求項６〜８いずれか一項に記載のテレビジョンシステムの制御方法を採用して、受信したチャンネル信号に対応する映像や音声を出力することを特徴とするテレビジョンシステム。
【発明の詳細な説明】
【技術分野】
【０００１】
本発明は、テレビジョンシステムの制御方法及び該制御方法を用いるテレビジョンシステムに関し、特にテレビジョンの複数チャンネルの番組を同時に視聴することができるテレビジョンシステムの制御方法及び該制御方法を用いるテレビジョンシステムに関する。
【背景技術】
【０００２】
標準的な家庭用テレビジョン装置とは、テレビジョン放送の電波を受信する受信機を１つ有し、その受信機で受信したチャンネルの番組の映像を表示部に表示すると共に、音声をスピーカーから出力するものである。視聴者の選択に応じて、家庭用テレビジョンは受信機で１つのチャンネルの放送のみ受信し、表示部で該チャンネルの番組の映像を表示し、そしてスピーカーで該チャンネルの番組の音声を再生する。視聴者は選択したチャンネル以外のチャンネルの番組を視聴することができない。
【０００３】
この欠点に対し、表示部の画面をメイン画面とサブ画面とに分割することにより、複数の受信機を用いて受信した複数のチャンネルの番組の映像を同時に表示部に表示することにより、複数の視聴者の各々が視聴したい番組を同時に視聴することができるチャンネル同時視聴機能を有するテレビジョン装置が開発された。また、上記チャンネル同時視聴機能を有するテレビジョン装置に加えて、該テレビジョン装置用のリモコン装置において、ディスプレイ及びスピーカーを有するＡＶ出力表示手段を備えたリモコン装置も開発された。これによって、テレビジョン装置で複数のチャンネルの番組を同時に視聴できる他に、該リモコン装置を通じてチャンネルの番組を視聴することも可能になる。
【０００４】
しかし、例えば、それぞれ異なるチャンネルの番組を視聴しようとする２人の視聴者がチャンネル同時視聴機能を利用して、複数のチャンネルの番組を同時に視聴する際に、それぞれが視聴しようとする視覚情報及び聴覚情報は他人が視聴しようとするものに干渉され、自分の視聴しようとするチャンネルの番組に集中することはできない。
【０００５】
また、上記リモコン装置を通じてチャンネルの番組を視聴する場合に、リモコン装置に設けられたＡＶ出力表示手段は分割された画面におけるメイン画面しか表示できず、サブ画面の表示ができないので、サブ画面のチャンネルの番組を視聴しようとする視聴者は、メイン画面のチャンネルの番組からの視覚情報及び聴覚情報に干渉されずに、リモコン装置のディスプレイを通じてサブ画面のチャンネルの番組を視聴することができない。
【０００６】
従って、たとえテレビジョン装置とリモコン装置とがそれぞれＡＶ出力表示手段を有していても、それぞれのディスプレイを通じて視聴者たちに異なるチャンネルの番組を視聴させることができない。
【先行技術文献】
【特許文献】
【０００７】
【特許文献１】台湾特許第Ｉ３３４５６９号明細書
【発明の概要】
【発明が解決しようとする課題】
【０００８】
本発明は、上記課題に鑑みてなされたものであり、その目的は、ＡＶ出力表示手段を備えるリモコン装置に、テレビジョン装置で表示中のチャンネルと別のチャンネルの番組を選択して表示させることを可能にしたテレビジョンシステムの制御方法及びその方法を利用可能なテレビジョンシステムを提供することにある。
【課題を解決するための手段】
【０００９】
本発明は、テレビジョン装置と、リモコン側ＡＶ出力モジュールを有すると共に該テレビジョン装置を操作するリモコン装置とを備えたテレビジョンシステムに用いられるテレビジョンシステムの制御方法であって、前記テレビジョン装置に２つのチャンネル信号を受信させる過程（Ａ）と、前記リモコン装置からのチャンネル選択命令に応じて、前記２つのチャンネル信号から１つを選択して前記リモコン装置に送信し、前記のリモコン装置の前記リモコン側ＡＶ出力モジュールに前記チャンネル信号に対応する映像や音声を出力する過程（Ｂ）とを順番に実行することを特徴とするテレビジョンシステムの制御方法を提供します。
【００１０】
前記過程（Ａ）において、前記テレビジョン装置は前記リモコン装置からの画面分割命令に応じて、画面を分割して、同時に２つの前記チャンネル信号にそれぞれ対応する映像を分割した２つの画面で表示することが好ましい。
【００１１】
前記過程（Ｂ）において、前記リモコン側ＡＶ出力モジュールが映像を表示する時、前記テレビジョン装置は前記２つのチャンネル信号において前記過程（Ａ）によって選択されていないチャンネル信号に対応する映像や音声のみを出力することが好ましい。
【００１２】
前記リモコン装置の前記リモコン側ＡＶ出力モジュールはディスプレイ及びスピーカー或いは音声出力孔を有することが好ましい。
【００１３】
前記テレビジョン装置は、それぞれに１つのチャンネル信号を受信する、２つの受信機と、前記チャンネル信号に対応する映像や音声を出力するためのテレビジョン側ＡＶ出力モジュールと、リモコン受信ユニットと、チャンネル信号発信ユニットと、前記２つの受信機と前記チャンネル信号発信ユニットと電気的結合している信号選択ユニットと、前記リモコン受信ユニットと前記信号選択ユニットと電気的結合しているテレビジョン制御機構と、を備えており、
前記リモコン装置は、ユーザによる操作を受け付ける操作インターフェイスと、リモコン発信ユニットと、前記操作インターフェイスが受け付けたユーザによる操作に基づいて、チャンネル選択命令を生成して、前記リモコン発信ユニットに前記チャンネル選択命令を前記リモコン受信ユニットに送信させるように制御するリモコン制御機構と、前記チャンネル信号発信ユニットからの選択された前記チャンネル信号を受信して、前記リモコン側ＡＶ出力モジュールに送信して出力させるチャンネル信号受信ユニットと、を更に備えており、
前記テレビジョン装置の前記テレビジョン制御機構は、前記リモコン受信ユニットが前記リモコン発信ユニットから前記チャンネル選択命令を受信すると、前記チャンネル選択命令に応じて前記信号選択ユニットに前記２つのチャンネル信号から１つを選択させ、そして選択されたチャンネル信号を前記チャンネル信号発信ユニットに送信させるように構成されていることが好ましい。
【００１４】
前記テレビジョン装置の前記チャンネル信号発信ユニットと前記リモコン装置の前記チャンネル信号受信ユニットは、ＵＳＢインターフェイスを通じて、それぞれ着脱可能に構成されていることが好ましい。
【００１５】
前記チャンネル信号発信ユニットと前記チャンネル信号受信ユニットは、ブルートゥース、超広帯域、或いはワイヤレス・フィディリティーを利用して、選択された前記チャンネル信号の無線送信を実行することが好ましい。
【００１６】
また、本発明も、上記テレビジョンシステムの制御方法を採用して、受信したチャンネル信号に対応する映像や音声を出力することを特徴とするテレビジョンシステムを提供する。
【発明の効果】
【００１７】
本発明によれば、リモコン側ＡＶ出力モジュールを有するリモコン装置に、テレビジョン装置で表示中のチャンネルと別のチャンネルの番組を選択して表示させることができるので、視聴者たちがたとえそれぞれ異なるチャンネルの番組を視聴しても、お互いに視聴している視覚情報及び聴覚情報に干渉されることなく、自分の視聴したいチャンネルの番組に集中して視聴することができる。
【図面の簡単な説明】
【００１８】
【図１】本発明の実施形態に係るテレビジョンシステムの構成を示すブロック図である。
【図２】本発明の実施形態に係るテレビジョンシステムの制御方法を説明するためのフロー図である。
【発明を実施するための形態】
【００１９】
以下、本発明を実施するための形態について、図面を参照して詳細に説明する。図１は本発明の実施形態に係るテレビジョンシステムの構成を示すブロック図である。図２は本発明の実施形態に係るテレビジョンシステムの制御方法を説明するためのフロー図である。
【００２０】
本発明は、上記のように、ＡＶ出力表示手段を備えるリモコン装置に、テレビジョン装置で表示中のチャンネルと同一の或いは異なるチャンネルの番組を自由に選択して表示させることができるようにしたテレビジョンシステムの制御方法を提供する。
【００２１】
まず、該制御方法を適用できるテレビジョンシステムの構成について説明する。図１に示すように、該テレビジョンシステムは、テレビジョン装置１と、リモコン装置２とを備えている。
【００２２】
テレビジョン装置１は、それぞれに１つのチャンネル信号を受信する２つの受信機１１、１２と、受信機１１または受信機１２によって受信されたチャンネル信号に対応する映像や音声を出力するディスプレイ１３１及びスピーカー１３２を有するテレビジョン側ＡＶ出力モジュール１３と、リモコン装置２からの命令を受信するリモコン受信ユニット１４と、チャンネル信号を発信するためのチャンネル信号発信ユニット１５と、２つの受信機１１、１２とチャンネル信号発信ユニット１５とを電気的に結合して、受信した２つのチャンネル信号から１つを選択して、チャンネル信号発信ユニット１５にチャンネル信号を発信させる信号選択ユニット１６と、リモコン受信ユニット１４と信号選択ユニット１６と電気的結合しているテレビジョン制御機構１７とを備えている。テレビジョン装置１は、テレビジョン電源供給手段１０を更に備え、受信機１１、１２と、テレビジョン側ＡＶ出力モジュール１３と、リモコン受信ユニット１４と、チャンネル信号発信ユニット１５と、信号選択ユニット１６と、テレビジョン制御機構１７とに電源を供給する。
【００２３】
リモコン装置２は、ユーザによる操作を受け付ける操作インターフェイス２０と、リモコン発信ユニット２１と、操作インターフェイス２０が受け付けたユーザによる操作に基づいて、チャンネル選択命令を生成して、前記リモコン発信ユニット２１に前記チャンネル選択命令を前記リモコン受信ユニット１４に送信させるように制御するリモコン制御機構２２と、ディスプレイ２３１及びスピーカー２３２を有するリモコン側ＡＶ出力モジュール２３と、チャンネル信号発信ユニット１５からの選択されたチャンネル信号を受信して、リモコン側ＡＶ出力モジュール２３に送信して出力させるチャンネル信号受信ユニット２４とを備えている。
【００２４】
リモコン装置２は、リモコン電源供給手段２５を更に備え、操作インターフェイス２０と、リモコン発信ユニット２１と、リモコン制御機構２２と、リモコン側ＡＶ出力モジュール２３と、チャンネル信号受信ユニット２４とに電源を供給する。
【００２５】
ちなみに、テレビジョン側ＡＶ出力モジュール１３が備えたディスプレイ１３１として、およびリモコン側ＡＶ出力モジュール２３が備えたディスプレイ２３１として、液晶ディスプレイパネルやＣＲＴディスプレイなどを使用することができる。
【００２６】
テレビジョン装置１のテレビジョン制御機構１７は、リモコン受信ユニット１４により受信したリモコン装置２からの命令に従ってテレビジョン装置１を制御するものであり、例えば視聴者がリモコン装置２を操作して画面分割モードを選択すると、テレビジョン制御機構１７がディスプレイ１３１の画面を２分割して、受信機１１、１２が受信した２つのチャンネル信号に対応する映像を分割した２つの画面に表示させる。また、リモコン受信ユニット１４がリモコン発信ユニット２２からチャンネル選択命令を受信すると、チャンネル選択命令に応じて信号選択ユニット１６に２つのチャンネル信号から１つを選択させ、そして選択されたチャンネル信号をチャンネル信号発信ユニット１５に送信させるように構成されている。
【００２７】
リモコン装置２の操作インターフェイス２０としては、キーボードやタッチパネルを使用することができ、操作インターフェイス２０を通じて、画面分割モードとチャンネル選択モードを選択することができる。画面分割モードを選択すると、リモコン制御機構２２はリモコン発信ユニット２１を通じて画面分割命令をテレビジョン装置１に送信する。チャンネル選択モードを選択すると、リモコン制御機構２２はリモコン発信ユニット２１を通じてチャンネル選択命令をテレビジョン装置１に送信する。
【００２８】
テレビ装置１としては、市販されている２つのチャンネル同時視聴機能を持ったテレビジョン装置を使用してもいい。
【００２９】
リモコン装置２のリモコン側ＡＶ出力モジュール２３は、スピーカー２３２の代わりに、ヘッドホンやイヤホンなどと接続できる音声出力孔（図示しない）を有してもいい。
【００３０】
テレビジョン装置１のチャンネル信号発信ユニット１５とリモコン装置２のチャンネル信号受信ユニット２４は、ＵＳＢインターフェイスを通じて、それぞれ着脱可能に構成されることも可能である。また、チャンネル信号発信ユニット１５とチャンネル信号受信ユニット２４は、ブルートゥース、超広帯域、或いはワイヤレス・フィディリティーを利用することによっても、選択された前記チャンネル信号の無線送信を実行することができる。なお、テレビジョン装置１のリモコン受信ユニット１４とリモコン装置２のリモコン制御機構２２との間でのチャンネル信号の送受信には、一般に赤外線が採用されているが、本発明においてはこれに限られない。
【００３１】
次に、図２を参照して、本発明の実施形態に係るテレビジョンシステムの制御方法について説明する。
【００３２】
本発明のテレビジョンシステムの制御方法は、テレビジョン装置１に２つのチャンネル信号を受信させる過程（Ａ）と、リモコン装置２からのチャンネル選択命令に応じて、２つのチャンネル信号から１つを選択してリモコン装置２に送信し、リモコン装置２のリモコン側ＡＶ出力モジュール２３にチャンネル信号に対応する映像や音声を出力する過程（Ｂ）とを順番に実行する。
【００３３】
過程（Ａ）において、テレビジョン装置１はリモコン装置２からの画面分割命令に応じて、テレビジョン装置１に２つのチャンネル信号を受信させてから（ステップＳ３１）、画面を分割して、同時に２つのチャンネル信号にそれぞれ対応する映像を分割した２つの画面で表示する（ステップＳ３２）。
【００３４】
過程（Ｂ）において、テレビジョン装置１のテレビジョン制御機構１７はリモコン受信ユニット１４がリモコン装置２からのチャンネル選択命令を受信（ステップＳ３３）すると、チャンネル選択命令に応じて、信号選択ユニット１６に受信機１１、１２が受信した２つのチャンネル信号から１つを選択させ、そして選択されたチャンネル信号をチャンネル信号発信ユニット１５に送信させ、該選択されたチャンネル信号に対応する映像や音声をリモコン側ＡＶ出力モジュール２３に出力させる（ステップＳ３４）。そして、リモコン側ＡＶ出力モジュール２３が映像を表示する時、テレビジョン装置１は画面の分割を解除して、受信した２つのチャンネル信号における選択されていないチャンネル信号（チャンネル信号発信ユニット１５により発信されていないチャンネル信号）に対応する映像や音声のみを出力する（ステップＳ３５）。
【００３５】
視聴者の視点から見れば、本発明のテレビジョンシステムの制御方法は以下のように実行される。視聴者はリモコン装置２のチャンネル選択モードを選択する前に、まずは画面分割モードを選択して、リモコン制御機構２２にリモコン発信ユニット２１を通じて画面分割命令をテレビジョン装置１に送信させると、テレビジョン装置１のテレビジョン制御機構１７は信号選択ユニット１６に受信機１１、１２が受信した２つのチャンネル信号を同時にテレビジョン側ＡＶ出力モジュール１３に送信させ（ステップＳ３１）、且つテレビジョン側ＡＶ出力モジュール１３のディスプレイ１３１に画面をメイン画面とサブ画面とに分割させて、２つのチャンネル信号に対応する映像や音声を同時に出力させることができる（ステップＳ３２）。例えば、メイン画面で受信機１１が受信したチャンネル信号に対応するチャンネルの映像を表示し、サブ画面で受信機１２が受信したチャンネル信号に対応するチャンネルの映像を表示する。
【００３６】
次に、視聴者はリモコン装置２を使って、テレビジョン側ＡＶ出力モジュール１３のディスプレイ１３１で表示中のメイン画面或いはサブ画面を指定して、そしてリモコン装置２のチャンネル選択モードを選択すると、リモコン制御機構２２はチャンネル選択命令を生成して、リモコン発信ユニット２１を通じてチャンネル選択命令をテレビジョン装置１に送信する。テレビジョン制御機構１７がチャンネル選択命令を受信する（ステップＳ３３）と、該命令に応じて信号選択ユニット１６に受信機１１、１２が受信した２つのチャンネル信号から１つを選択させ、そして選択されたチャンネル信号を前記チャンネル信号発信ユニット１５に送信させる（ステップＳ３４）。例えば、サブ画面のチャンネル信号を選択する場合、信号選択ユニット１６は受信機１２が受信したチャンネル信号をチャンネル信号発信ユニット１５に送信し、メイン画面のチャンネル信号を選択する場合、信号選択ユニット１６は受信機１１が受信したチャンネル信号をチャンネル信号発信ユニット１５に送信する。従って、視聴者はリモコン装置２のリモコン側ＡＶ出力モジュール２３にテレビジョン装置１のメイン画面或いはサブ画面で表示中のチャンネルの番組を表示させることができるので、テレビジョン装置１とリモコン装置２を通じて異なるチャンネルの番組を同時に視聴することができる。なお、リモコン装置２へのチャンネル信号の発信操作が終了すると、テレビジョン装置１に自動的或いは手動的に画面分割モードを解除させ、リモコン装置２へのチャンネル信号と異なるもう１つのチャンネル信号に対応する映像や音声を出力させることができる（ステップＳ３５）。これにより、テレビジョン装置１でチャンネルの番組を視聴する視聴者は、画面分割モードによる複数の視覚情報及び聴覚情報に干渉されることなく、自分の視聴したいチャンネルの番組に集中して視聴することができる。
【産業上の利用可能性】
【００３７】
本発明によれば、リモコン側ＡＶ出力モジュールを有するリモコン装置に、テレビジョン装置で表示中のチャンネルの番組と別のチャンネルの番組を選択して表示させることができるので、視聴者たちがたとえそれぞれ異なるチャンネルの番組を視聴しても、お互いに視聴している視覚情報及び聴覚情報に干渉されることなく、自分の視聴したいチャンネルの番組に集中して視聴することができる。
【符号の説明】
【００３８】
１      テレビジョン装置
１０    テレビジョン電源供給手段
１１    受信機
１２    受信機
１３    テレビジョン側ＡＶ出力モジュール
１３１  ディスプレイ
１３２  スピーカー
１４    リモコン受信ユニット
１５    チャンネル信号発信ユニット
１６    信号選択ユニット
１７    テレビジョン制御機構
２      リモコン装置
２０    操作インターフェイス
２１    リモコン発信ユニット
２２    リモコン制御機構
２３    リモコン側ＡＶ出力モジュール
２３１  ディスプレイ
２３２  スピーカー
２４    チャンネル信号受信ユニット
２５    リモコン電源供給手段
Ｓ３１  ステップ
Ｓ３２  ステップ
Ｓ３３  ステップ
Ｓ３４  ステップ
Ｓ３５  ステップ
【図１】
2013074621.tif 000003
【図２】
2013074621.tif 000004